(57)【特許請求の範囲】
【請求項１】
建築物を支持する枠状の外周基礎と、当該外周基礎で囲まれる上記建築物の床下部分の地盤上に、当該外周基礎の内側面に周縁部が当接するように敷設される土間コンクリートとを備える建築物の基礎構造であって、
上記土間コンクリートと地盤との間に敷設される防蟻薬剤を含有しない所定のシート部材と、
上記外周基礎の内側面と上記土間コンクリートの周縁部の上面との交差部に配置される防蟻剤と、
上記外周基礎を内外方向に貫通する横配管部と、
上記横配管部の上記外周基礎より内方側の部分が露出するように上記土間コンクリートの周縁部に設けられる切り欠き部と、
上記シート部材のうち少なくとも上記切り欠き部により露出する部分の上に重ねて配置される防蟻シートとを備えることを特徴とする建築物の基礎構造。
【請求項２】
請求項１に記載の建築物の基礎構造において、
上記土間コンクリート及びシート部材を上下方向に貫通する縦配管部と、
上記縦配管部の外周面に密着するように上記縦配管部の周囲の所定の範囲で上記シート部材の上に重ねて配置される防蟻シートとをさらに備えることを特徴とする建築物の基礎構造。
【請求項３】
請求項１又は２に記載の建築物の基礎構造において、
上記切り欠き部に位置する外周基礎の内側面と上記横配管部の外周面との交差部に配置される防蟻剤をさらに備えることを特徴とする建築物の基礎構造。
【請求項４】
請求項１から３のいずれか１項に記載の建築物の基礎構造において、
上記切り欠き部に位置する外周基礎の内側面と上記シート部材及び防蟻シートの周縁部との当接部に配置される防蟻剤をさらに備えることを特徴とする建築物の基礎構造。
【請求項５】
請求項１から４のいずれか１項に記載の建築物の基礎構造において、
上記土間コンクリートは、配筋が埋め込まれた補強土間コンクリートであることを特徴
とする建築物の基礎構造。
【請求項６】
建築物を支持する枠状の外周基礎と、当該外周基礎で囲まれる上記建築物の床下部分の地盤上に、当該外周基礎の内側面に周縁部が当接するように敷設される土間コンクリートとを備える建築物の基礎構造であって、
上記土間コンクリートと地盤との間に敷設される防蟻薬剤を含有しない所定のシート部材と、
上記外周基礎の内側面と上記土間コンクリートの周縁部の上面との交差部に配置される防蟻剤と、
上記土間コンクリート及びシート部材を上下方向に貫通する縦配管部と、
上記縦配管部の外周面に密着するように上記縦配管部の周囲の所定の範囲で上記シート部材の上に重ねて配置される防蟻シートと、
上記縦配管部のうち上記土間コンクリートを貫通する部分の外周面と当該土間コンクリートの上面から上方に突出する部分の外周面とを覆う断熱材とを備え、
上記防蟻シートは、上記縦配管部の外周面に沿って立ち上がる部分を有し、かつ当該立ち上がり部が上記縦配管部の外周面と上記断熱材との間に挟み込まれるように配置されることを特徴とする建築物の基礎構造。
【発明の詳細な説明】
【技術分野】
【０００１】
本発明は、建築物の基礎構造に関し、特に、建築物を支持する枠状の外周基礎で囲まれる上記建築物の床下部分に土間コンクリートが敷設される建築物の基礎構造に関する。
【背景技術】
【０００２】
家屋等の建築物の基礎構造に関し、特許文献１は、建築物を支持する枠状の外周基礎と、上記外周基礎で囲まれる上記建築物の床下部分の地盤上に敷設される土間コンクリートと、上記土間コンクリートと地盤との間に敷設される防蟻シートと、上記外周基礎の内側面と上記土間コンクリートの上面とが交差する内角部に配置される防蟻剤とを備えるものを開示する。
【０００３】
これによれば、床下部分の地盤の表面が防蟻シートで覆われるので、土中に住むシロアリが上方に這い上がって建築物に侵入することが抑制される。また、仮にシロアリが防蟻シートを突破し、外周基礎と土間コンクリートとの当接部に生じる隙間を這い上がっても、その上方には防蟻剤が配置されるので、やはりシロアリが建築物に侵入することが抑制される。その結果、建築物の木質部分がシロアリに食われる被害（食害）が防止される。
【先行技術文献】
【特許文献】
【０００４】
【特許文献１】特開２０１４−４３７６４号公報（特に図１２）
【発明の概要】
【発明が解決しようとする課題】
【０００５】
ところで、防蟻シートはシロアリを忌避する防蟻機能を具備する比較的高価な防蟻薬剤を含有するため、防蟻シートを用いる建築物の基礎構造はコスト高になりがちである。
【０００６】
そこで、本発明は、コストダウンを図りつつ十分な防蟻効果が発揮される建築物の基礎構造の提供を目的とする。
【課題を解決するための手段】
【０００７】
上記課題を解決するためのものとして、本発明は、建築物を支持する枠状の外周基礎と、当該外周基礎で囲まれる上記建築物の床下部分の地盤上に、当該外周基礎の内側面に周縁部が当接するように敷設される土間コンクリートとを備える建築物の基礎構造であって、上記土間コンクリートと地盤との間に敷設される防蟻薬剤を含有しない所定のシート部材と、上記外周基礎の内側面と上記土間コンクリートの周縁部の上面との交差部に配置される防蟻剤と、上記外周基礎を内外方向に貫通する横配管部と、上記横配管部の上記外周基礎より内方側の部分が露出するように上記土間コンクリートの周縁部に設けられる切り欠き部と、上記シート部材のうち少なくとも上記切り欠き部により露出する部分の上に重ねて配置される防蟻シートとを備えることを特徴とする。
【０００８】
本発明によれば、土間コンクリートと地盤との間に防蟻シートではなく防蟻薬剤を含有しない所定のシート部材（例えば防湿シート等）が敷設される。このシート部材自体は防蟻機能を具備しないが、土中に住むシロアリが上方に這い上がるためにはこのシート部材を突破する必要がある。また、シート部材を突破してもその上は土間コンクリートであり、シロアリはコンクリートを食い破ることができないので、シロアリが土間コンクリートの上に出るためには外周基礎と土間コンクリートとの当接部に生じる隙間を通る必要がある。しかし、上記隙間の上方は防蟻剤で覆われるので、シロアリが建築物に侵入することが困難となる。つまり、防蟻シートに代えて防蟻薬剤を含有しないシート部材を用いても、防蟻シートを用いる場合と遜色ない結果が得られ、十分な防蟻効果が発揮される。しかも、高価な防蟻薬剤を含有しないシート部材が用いられるから、基礎構造のコストダウンが図られる。その際、シート部材は建築物の床下部分の広い範囲で敷設されるので、上記コストダウンは大幅なものとなる。
ここで、建築物の基礎構造では、例えば上下水道等の配管が外周基礎を内外方向に貫通する場合がある（横配管部）。本発明においても、このような横配管部が設けられるとともに、当該横配管部における外周基礎より内方側の部分との干渉等を避けるために土間コンクリートの周縁部が部分的に切り欠かれる。この場合、土間コンクリートが存在しない当該切り欠き部においては、土間コンクリートの下に敷設されるシート部材が露出し、このシート部材の露出部分は、土中に住むシロアリの建築物への侵入経路となり得る。これに対し、本発明では、少なくとも上記シート部材の露出部分が防蟻シートで覆われるので、上記露出部分を介してシロアリが土中から上方に這い上がることが抑制される。しかも、その際、防蟻シートは必要最小限の範囲（シート部材の露出部分のみ）で配置されるから、コストアップも抑えられる。
【０００９】
本発明においては、上記土間コンクリート及びシート部材を上下方向に貫通する縦配管部と、上記縦配管部の外周面に密着するように上記縦配管部の周囲の所定の範囲で上記シート部材の上に重ねて配置される防蟻シートとをさらに備えることが好ましい。
【００１０】
例えば上下水道等の配管が床下部分で土間コンクリート及びシート部材を上下方向に貫通する場合がある（縦配管部）。そのような場合、上記縦配管部の外周面と土間コンクリートとの間に生じる隙間は、土中に住むシロアリの建築物への侵入経路となり得る。これに対し、上記構成によれば、上記隙間が防蟻シートで覆われるので、上記隙間を通ってシロアリが土中から土間コンクリートの上に這い出すことが抑制される。しかも、その際、防蟻シートは必要最小限の範囲（縦配管部の周囲の所定範囲のみ）で配置されるから、コストアップも抑えられる。
【００１３】
本発明においては、上記切り欠き部に位置する外周基礎の内側面と上記横配管部の外周面との交差部に配置される防蟻剤をさらに備えることが好ましい。
【００１４】
この構成によれば、横配管部の外周面と外周基礎との間に生じる隙間が防蟻剤で覆われるので、上記隙間を通ってシロアリが外周基礎の外方から内方に（つまり床下部分に）侵入することが抑制される。しかも、その際、防蟻剤は必要最小限の範囲（外周基礎の内側面と横配管部の外周面との交差部のみ）で配置されるから、コストアップも抑えられる。
【００１５】
本発明においては、上記切り欠き部に位置する外周基礎の内側面と上記シート部材及び防蟻シートの周縁部との当接部に配置される防蟻剤をさらに備えることが好ましい。
【００１６】
この構成によれば、切り欠き部において、外周基礎の内側面とシート部材及び防蟻シートの周縁部との当接部に生じる隙間が防蟻剤で覆われるので、上記隙間を通ってシロアリが土中から上方に這い上がることが抑制される。しかも、その際、防蟻剤は必要最小限の範囲（切り欠き部の範囲のみ）で配置されるから、コストアップも抑えられる。
【００１７】
本発明においては、上記土間コンクリートは、配筋が埋め込まれた補強土間コンクリートであることが好ましい。
この構成によれば、土間コンクリートにクラック（ひび割れ）が入ることが防止され、
したがってシロアリが土間コンクリートのクラックを通って土間コンクリートの上に出る虞もないため、防蟻上より優れた結果が得られる。
【００１８】
また、本発明は、建築物を支持する枠状の外周基礎と、当該外周基礎で囲まれる上記建築物の床下部分の地盤上に、当該外周基礎の内側面に周縁部が当接するように敷設される土間コンクリートとを備える建築物の基礎構造であって、上記土間コンクリートと地盤との間に敷設される防蟻薬剤を含有しない所定のシート部材と、上記外周基礎の内側面と上記土間コンクリートの周縁部の上面との交差部に配置される防蟻剤と、上記土間コンクリート及びシート部材を上下方向に貫通する縦配管部と、上記縦配管部の外周面に密着するように上記縦配管部の周囲の所定の範囲で上記シート部材の上に重ねて配置される防蟻シートと、上記縦配管部のうち上記土間コンクリートを貫通する部分の外周面と当該土間コンクリートの上面から上方に突出する部分の外周面とを覆う断熱材とを備え、上記防蟻シートは、上記縦配管部の外周面に沿って立ち上がる部分を有し、かつ当該立ち上がり部が上記縦配管部の外周面と上記断熱材との間に挟み込まれるように配置されることを特徴とする。
【発明の効果】
【００１９】
本発明によれば、コストダウンを図りつつ十分な防蟻効果が発揮される建築物の基礎構造が提供される。
【図面の簡単な説明】
【００２０】
【図１】本発明の第１の実施形態に係る建築物の基礎構造を示す断面図である。
【図２】上記基礎構造の施工方法を説明するための斜視図（その１）である。
【図３】同、斜視図（その２）である。
【図４】同、斜視図（その３）である。
【図５】同、斜視図（その４）である。
【図６】同、斜視図（その５）である。
【図７】上記第１実施形態の変形例を示す断面図である。
【図８】本発明の第２の実施形態に係る建築物の基礎構造を示す断面図である。
【図９】上記基礎構造の施工方法を説明するための斜視図（その１）である。
【図１０】同、斜視図（その２）である。
【図１１】同、斜視図（その３）である。
【発明を実施するための形態】
【００２１】
以下、図面に基き、本発明の実施形態を説明する。
【００２２】
＜第１の実施形態＞
（１）全体構成
図１は、本発明の第１の実施形態に係る建築物の基礎構造Ｋを示す断面図である。図示するように、家屋である建築物Ｔの床下部分Ｕにコンクリート材からなる外周基礎１が打設される。外周基礎１は建築物Ｔの平面形状に対応するように平面視で枠状に形成される。建築物Ｔは外周基礎１により下から支持される。建築物Ｔの床部に木製の角材からなる土台Ｔａが設けられる。土台Ｔａが外周基礎１の上面にアンカーボルト１３（図２参照）を介して固定される。
【００２３】
外周基礎１の下端部にフーチング２が一体に形成される。フーチング２は地盤Ｅに埋設される状態で外周基礎１の外方（図１において左方）及び内方（同、右方）に水平に張り出す。外周基礎１とフーチング２とにより縦断面形状が逆Ｔ字状の布基礎が形成される。地盤Ｅはフーチング２の上方に所定の厚みで転圧される。
【００２４】
外周基礎１により囲まれる建築物Ｔの床下部分Ｕの地盤Ｅの上にコンクリート材からなる土間コンクリート５が敷設される。土間コンクリート５は水平方向に拡がる板状に形成される。床下部分Ｕの地盤Ｅの上面が土間コンクリート５により覆われる。土間コンクリート５の周縁部が外周基礎１の床下部分Ｕ側の側面、つまり内側面１ａに当接する。外周基礎１と土間コンクリート５との当接部に符号Ｂを付す。
【００２５】
土間コンクリート５と地盤Ｅとの間に例えばＥＶＡ樹脂（エチレン・酢酸ビニル共重合体樹脂）やポリエチレンやポリプロピレン等からなり、かつ防蟻薬剤を含有しない防湿シート７が敷設される。防湿シート７は土間コンクリート５よりも広い範囲を覆うように敷設される。そのため、防湿シート７の周縁部が土間コンクリート５の外側まではみ出し、外周基礎１の内側面１ａに沿って所定の長さだけ立ち上がり、上記当接部Ｂに挟み込まれる。防湿シート７は本発明の「防蟻薬剤を含有しない所定のシート部材」に相当する。
【００２６】
上記当接部Ｂの上方に外周基礎１の内側面１ａと土間コンクリート５の周縁部の上面５ａとが交差する交差部Ｃが位置する。交差部Ｃにある程度の柔軟性及び保形性を有し、防蟻薬剤を含有する防蟻ペースト９が断面三角形状に塗布される。そのため、上記当接部Ｂに隙間が生じても、その隙間の上方はある程度の柔軟性を有する防蟻ペースト９で覆われる。防蟻ペースト９は本発明の「防蟻剤」に相当する。
【００２７】
例えば上下水道等の配管１０がフーチング２より上方で地盤Ｅに埋設される状態で外周基礎１を外方から内方に貫通し、外周基礎１の内側面１ａから内方に突出した後、フーチング２より内方側で上方に曲折し、床下部分Ｕで土間コンクリート５及び防湿シート７を下方から上方に貫通し、土間コンクリート５の上面５ａから上方に突出する。
【００２８】
配管１０が土間コンクリート５及び防湿シート７を上下方向に貫通する縦配管部１０Ｙにおいて、縦配管部１０Ｙの周囲の所定の範囲で矩形状の防蟻シート８（図４参照）が防湿シート７の上に重ねて敷設される。防蟻シート８は例えばポリエチレンやポリプロピレンやＥＶＡ樹脂等からなり、防蟻薬剤を含有する。防蟻シート８の中央部に縦配管部１０Ｙの径よりも小さい径の円孔８ａが形成され、縦配管部１０Ｙは上記円孔８ａを挿通する。そのため、円孔８ａの周縁部が縦配管部１０Ｙの外周面１０ａに沿って所定の長さだけ立ち上がり、縦配管部１０Ｙの外周面１０ａに密着する。防蟻シート８の外側の周縁部はテープ部材１１により防湿シート７に固定される（図５参照）。
【００２９】
また、上記交差部Ｃにおける防蟻ペースト９に類似して、縦配管部１０Ｙの外周面１０ａと土間コンクリート５の上面５ａとが交差する交差部に、ある程度の柔軟性及び保形性を有し、防蟻薬剤を含有する防蟻ペースト３９が断面三角形状に塗布される。そのため、上記縦配管部１０Ｙの外周面１０ａと土間コンクリート５との間に隙間が生じても、その隙間の上方はある程度の柔軟性を有する防蟻ペースト３９で覆われる。なお、この縦配管部１０Ｙの外周面１０ａの防蟻ペースト３９は省略することができる。
【００３０】
本実施形態において、防蟻薬剤としては、シロアリを忌避する防蟻機能を具備するものであれば特に限定されない。例えば、ピレスロイド様薬剤（シラフルオフェン、エトフェンプロックス等）、ピレスロイド系薬剤（シフルトリン、ビフェントリン、サイパーメストン、デルタメスリン、パーメスリン、ペルメスリン、アレスリン、トラロメスリン等）、カーバメイト系薬剤（プロボクスル、フェノブカルブ、セビン等）、クロルニコチル系薬剤（イミダクロプリド、アセタプリド、クロチアニシン等）、ニトロガニリン系薬剤（ジノテフラン等）、有機リン系殺虫剤（ホキシム、テトラクロクピンホス、フェニトロチオン、プロベタンホス等）、ピラゾール系薬剤（フィブロニル等）、クロルフェノール系薬剤（４−ブロモ−２，５−ジクロルフェノール（ＢＤＣＰ）等）、フェニルピロール系薬剤（クロルフェナビル等）、フィプロニル系薬剤（フィプロニル、エチプロール等）の他、ヒバ油、ウコン、カプリン酸、ヤシ油、パーム油等が使用可能である。これらのうちの１種を単独で又は２種以上を組み合わせて用いてもよい。
【００３１】
（２）施工方法
次に、図２〜図６を参照して上記建築物の基礎構造Ｋの施工方法を説明する。なお、図２〜図６において、符号１４は外周基礎１とは別に床下部分Ｕの地盤Ｅの上に立設される四角柱状の独立基礎である。
【００３２】
図２及び図３に示すように、配管１０の縦配管部１０Ｙが床下部分Ｕの地盤Ｅの上面から上方に突出する状態で、外周基礎１及びフーチング２を地盤Ｅに打設した後、床下部分Ｕの地盤Ｅの上面を覆うように防湿シート７を敷設する。その際、帯状の防湿シート７をロールから繰り出しながら敷設し、防湿シート７が外周基礎１の内側面１ａに沿って所定の長さだけ立ち上がるように敷設し、隣接する防湿シート７同士が所定の重ね代だけ重なり合うように敷設する。また、防湿シート７の立ち上がり際を釘部材１２で地盤Ｅに固定し（図２中の部分拡大図参照）、重ね代を所定の間隔で釘部材１２で地盤Ｅに固定し（図３参照）、重ね代の立ち上がり際を釘部材１２で地盤Ｅに固定する（図３中の部分拡大図参照）。また、重ね代を所定の間隔でテープ部材１１で接続し（図３参照）、重ね代の立ち上がり際から立ち上がり部までをテープ部材１１で接続する（図３中の部分拡大図参照）。
【００３３】
図４に示すように、防湿シート７を地盤Ｅの上に敷き詰めた後、縦配管部１０Ｙが防湿シート７を貫通する部分において、所定の大きさの矩形状の防蟻シート８を防湿シート７の上に重ねて敷設する。その際、防蟻シート８の円孔８ａに縦配管部１０Ｙを挿通させるが、円孔８ａの径が縦配管部１０Ｙの径よりも小さいから、図１に示すように、円孔８ａの周縁部が縦配管部１０Ｙの外周面１０ａに沿って所定の長さだけ立ち上がり、縦配管部１０Ｙの外周面１０ａに密着する（図５参照）。
【００３４】
なお、図４に示すように、縦配管部１０Ｙが防湿シート７を貫通する部分においては、防湿シート７に予め縦配管部１０Ｙを貫通させるための円形の開口を形成する（図１参照）。同様に、独立基礎１４が防湿シート７を貫通する部分においては、防湿シート７に予め独立基礎１４を貫通させるための四角形の開口を形成する（図４参照）。その場合、四角形の開口を独立基礎１４の平断面形状よりも若干小さめに形成し、四角形の開口の周縁部が独立基礎１４の外周面に沿って所定の長さだけ立ち上がり、独立基礎１４の外周面に密着するようにする。
【００３５】
図５に示すように、矩形状の防蟻シート８を防湿シート７の上に重ねて敷設した後、防蟻シート８の外側の周縁部をテープ部材１１で防湿シート７に固定する。防湿シート７を敷き詰めた床下部分Ｕにおいて地盤Ｅが見える隙間や防湿シート７の破れ等がないことを確認した後、外周基礎１で囲まれる床下部分Ｕに土間コンクリート５を形成するための生コンクリートＺを所定の厚みだけ流し込み、養生させる。これにより、土間コンクリート５が床下部分Ｕに敷設され、土間コンクリート５と地盤Ｅとの間に防湿シート７が挟み込まれる（図１参照）。外周基礎１の内側面１ａに沿う防湿シート７の周縁部の立ち上がり部が外周基礎１と土間コンクリート５との当接部Ｂに挟み込まれ、縦配管部１０Ｙの外周面１０ａに沿う防蟻シート８の円孔８ａの周縁部の立ち上がり部、及び独立基礎１４の外周面に沿う防湿シート７の四角形の開口の周縁部の立ち上がり部が土間コンクリート５に埋め込まれる。
【００３６】
図６に示すように、土間コンクリート５を敷設した後、外周基礎１と土間コンクリート５との当接部Ｂの上方に位置する外周基礎１の内側面１ａと土間コンクリート５の周縁部の上面５ａとの交差部Ｃに防蟻ペースト９を塗布する。その際、上記当接部Ｂに生じる隙間を充填するように防蟻ペースト９を塗布する。同様に、独立基礎１４の外周面と土間コンクリート５の上面５ａとの交差部にも防蟻ペースト９’を塗布する。その際、独立基礎１４の外周面と土間コンクリート５との間に生じる隙間を充填するように防蟻ペースト９’を塗布する。また、同様に、配管１０の縦配管部１０Ｙの外周面１０ａと土間コンクリート５の上面５ａとの交差部にも防蟻ペースト３９を塗布する。その際、縦配管部１０Ｙの外周面１０ａと土間コンクリート５との間に生じる隙間を充填するように防蟻ペースト３９を塗布する。
【００３７】
以上により本実施形態に係る建築物の基礎構造Ｋが施工される。施工された基礎構造Ｋにおいては、土中に住むシロアリの建築物Ｔへの侵入経路となり得る外周基礎１と土間コンクリート５との当接部Ｂに生じる隙間が防蟻ペースト９で覆われ、縦配管部１０Ｙの外周面１０ａと土間コンクリート５との間に生じる隙間が防蟻シート８及び防蟻ペースト３９で覆われ、独立基礎１４の外周面と土間コンクリート５との間に生じる隙間が防蟻ペースト９’で覆われる。
【００３８】
（３）作用効果等
以上説明したように、上記第１実施形態では、建築物Ｔを支持する枠状の外周基礎１と、当該外周基礎１で囲まれる上記建築物Ｔの床下部分Ｕの地盤Ｅの上に、当該外周基礎１の内側面１ａに周縁部が当接するように敷設される土間コンクリート５とを備える建築物の基礎構造Ｋにおいて、次のような特徴的な構成を採用した。
【００３９】
すなわち、上記基礎構造Ｋは、上記土間コンクリート５と地盤Ｅとの間に敷設される防蟻薬剤を含有しない防湿シート７と、上記外周基礎１の内側面１ａと上記土間コンクリート５の周縁部の上面５ａとの交差部Ｃに塗布される防蟻ペースト９とを備える。
【００４０】
このような第１実施形態の構成によれば、コストダウンを図りつつ十分な防蟻効果が発揮される建築物の基礎構造Ｋが提供される。つまり、土間コンクリート５と地盤Ｅとの間に防蟻シートではなく防蟻薬剤を含有しない防湿シート７が敷設され、この防湿シート７自体は防蟻機能を具備しないが、土中に住むシロアリが上方に這い上がるためにはこの防湿シート７を突破する必要がある。また、防湿シート７を突破してもその上は土間コンクリート５であり、シロアリはコンクリートを食い破ることができないので、シロアリが土間コンクリート５の上に出るためには外周基礎１と土間コンクリート５との当接部Ｂに生じる隙間を通る必要がある。しかし、上記隙間の上方は防蟻ペースト９で覆われるので、シロアリが建築物Ｔに侵入することが困難となる。つまり、防蟻シートに代えて防蟻薬剤を含有しない防湿シート７を用いても、防蟻シートを用いる場合と遜色ない結果が得られ、十分な防蟻効果が発揮される。しかも、高価な防蟻薬剤を含有しない防湿シート７が用いられるから、基礎構造Ｋのコストダウンが図られる。その際、防湿シート７は建築物Ｔの床下部分Ｕの広い範囲で敷設されるので、上記コストダウンは大幅なものとなる。
【００４１】
また、本実施形態では、上記基礎構造Ｋは、上記土間コンクリート５及び防湿シート７を上下方向に貫通する縦配管部１０Ｙと、上記縦配管部１０Ｙの外周面１０ａに密着するように上記縦配管部１０Ｙの周囲の所定の範囲で上記防湿シート７の上に重ねて敷設される防蟻シート８とをさらに備える。
【００４２】
このような構成によれば、例えば上下水道等の配管１０が床下部分Ｕで土間コンクリート５及び防湿シート７を上下方向に貫通する場合に上記縦配管部１０Ｙの外周面１０ａと土間コンクリート５との間に生じる隙間が防蟻シート８で覆われるので、上記隙間（土中に住むシロアリの建築物Ｔへの侵入経路）を通ってシロアリが土中から土間コンクリート５の上に這い出すことが抑制される。しかも、その際、防蟻シート８は縦配管部１０Ｙの周囲の所定範囲のみという必要最小限の範囲で敷設されるから、コストアップも抑えられる。
【００４３】
また、本実施形態では、上記基礎構造Ｋは、上記縦配管部１０Ｙの外周面１０ａと上記土間コンクリート５の上面５ａとの交差部に塗布される防蟻ペースト３９をさらに備える。
【００４４】
このような構成によれば、上記縦配管部１０Ｙの外周面１０ａと土間コンクリート５との間に生じる隙間が防蟻ペースト３９で覆われるので、上記隙間（土中に住むシロアリの建築物Ｔへの侵入経路）を通ってシロアリが土中から土間コンクリート５の上に這い出すことが抑制される。しかも、その際、防蟻ペースト３９は縦配管部１０Ｙの外周面１０ａと土間コンクリート５の上面５ａとの交差部のみという必要最小限の範囲で塗布されるから、コストアップも抑えられる。
【００４５】
また、本実施形態では、上記基礎構造Ｋは、上記土間コンクリート５及び防湿シート７を上下方向に貫通する独立基礎１４と、上記独立基礎１４の外周面と上記土間コンクリート５の上面５ａとの交差部に塗布される防蟻ペースト９’とをさらに備える。
【００４６】
このような構成によれば、独立基礎１４が床下部分Ｕで土間コンクリート５及び防湿シート７を上下方向に貫通する場合に上記独立基礎１４の外周面と土間コンクリート５との間に生じる隙間が防蟻ペースト９’で覆われるので、上記隙間（土中に住むシロアリの建築物Ｔへの侵入経路）を通ってシロアリが土中から土間コンクリート５の上に這い出すことが抑制される。しかも、その際、防蟻ペースト９’は独立基礎１４の外周面と土間コンクリート５の上面５ａとの交差部のみという必要最小限の範囲で塗布されるから、コストアップも抑えられる。
【００４７】
図７に第１実施形態の変形例を示す。この変形例では、図１と比較して明らかなように、配管１０の縦配管部１０Ｙが地盤Ｅから上方に延び、防湿シート７及び土間コンクリート５を貫通し、土間コンクリート５の上面５ａから上方に突出する部分において、縦配管部１０Ｙの外周面１０ａに円筒状の断熱材２１が密着して設けられる。断熱材２１は例えば発泡ポリスチレンや発泡ウレタン等の断熱性に優れる樹脂材料からなる。これにより、縦配管部１０Ｙの中を流れる温湯の温度低下が抑制される。この変形例の施工方法では、防蟻シート８を防湿シート７の上に重ねて敷設し、防蟻シート８をテープ部材１１で防湿シート７に固定した後又は固定する前に断熱材２１を縦配管部１０Ｙに被せ、その際、縦配管部１０Ｙの外周面１０ａに沿う防蟻シート８の円孔８ａの周縁部の立ち上がり部を縦配管部１０Ｙの外周面１０ａと断熱材２１の内周面との間に挟み込み、その後、図５に示すように、生コンクリートＺを流し込む。この変形例の作用効果では、縦配管部１０Ｙの外周面１０ａと断熱材２１の内周面との間に生じる隙間が防蟻シート８で覆われるので、上記隙間を通ってシロアリが土中から土間コンクリート５の上に這い出すことが抑制される。
【００４８】
なお、この第１の実施形態において、土間コンクリート５は、次の第２の実施形態のように、配筋１７が埋め込まれた補強土間コンクリートであってもよい。これにより、土間コンクリート５にクラックが入ることが防止され、防蟻上より優れた結果が得られる。
【００４９】
＜第２の実施形態＞
（１）全体構成
図８は、本発明の第２の実施形態に係る建築物の基礎構造Ｋを示す断面図である。第１実施形態と同じ又は類似の構成要素には同じ符号を用い、その詳細な説明は省略し、主として第２実施形態の特徴部分を中心に説明する。
【００５０】
この第２実施形態では、図１と比較して明らかなように、フーチング２のうち外周基礎１の内方（図８において右方）に水平に張り出す部分２ａ（便宜上「内側フーチング２ａ」という）の上方には地盤Ｅが転圧されず、外周基礎１の内側面１ａに当接する土間コンクリート５の周縁部が直接積載される。
【００５１】
床下部分Ｕの地盤Ｅは高さが平坦ではなく内側フーチング２ａに近づくほど高さが低くなる傾斜部Ｅａを有する。傾斜部Ｅａの最も低い部分（すなわち内側フーチング２ａとの連接部分）の高さは内側フーチング２ａの上面と同じ高さである。
【００５２】
床下部分Ｕの地盤Ｅ、傾斜部Ｅａ、及び内側フーチング２ａの上面に亘って防湿シート７が敷設される。防湿シート７の周縁部７ａが外周基礎１の内側面１ａに沿って所定の長さだけ立ち上がり、この立ち上がり部において防湿シート７の周縁部７ａと外周基礎１の内側面１ａとが相互に当接する（この当接部に符号Ｌを付す）。
【００５３】
防湿シート７の上に土間コンクリート５が敷設される。土間コンクリート５は上記傾斜部Ｅａにより内側フーチング２ａに近づくほど厚みが増し、内側フーチング２ａの上方の周縁部において最も厚くなる。土間コンクリート５に配筋１７が埋め込まれる。すなわち、土間コンクリート５は補強土間コンクリートである。詳しくは図示しないが、配筋１７は、一般に、格子状に組まれたものが用いられる。配筋１７により土間コンクリート５にクラック（ひび割れ）が入るのを防止するクラック防止効果が得られる。
【００５４】
外周基礎１の内側面１ａと土間コンクリート５の上面５ａとが交差する交差部Ｃに防蟻ペースト９が塗布される。
【００５５】
例えば上下水道等の第２配管２０がフーチング２のうち外周基礎１の外方（図８において左方）に水平に張り出す部分（外側フーチング）より上方で地盤Ｅに埋設される状態で外周基礎１を外方から内方に貫通し、外周基礎１の内側面１ａから内方に突出した後、内側フーチング２ａの直上方で上方に曲折する。
【００５６】
第２配管２０が外周基礎１を内外方向に貫通する横配管部２０Ｘに対応して、土間コンクリート５の周縁部にピット５Ｐ（本発明の「切り欠き部」に相当する）が形成される。このピット５Ｐは、主として、横配管部２０Ｘの内方側部分２０ｂと土間コンクリート５との干渉（例えば横配管部２０Ｘの内方側部分２０ｂの周囲のスペースは狭小なため生コンクリートＺが流れ難く入り難い）等を避けるために形成される。
【００５７】
上記ピット５Ｐにより、横配管部２０Ｘの外周基礎１より内方側の部分２０ｂが露出する。また、土間コンクリート５の下に敷設される防湿シート７が露出する。防湿シート７のうち少なくとも上記ピット５Ｐにより露出する部分の上に防蟻シート１８が重ねて敷設される。防湿シート７と同様、防蟻シート１８の周縁部１８ａが外周基礎１の内側面１ａに沿って所定の長さだけ立ち上がり、この立ち上がり部において防蟻シート１８の周縁部１８ａと外周基礎１の内側面１ａとが防湿シート７を間に挟んだ状態で相互に当接する（この当接部に符号Ｌを付す）。
【００５８】
防蟻シート１８は防湿シート７の露出部分だけでなく、上記傾斜部Ｅａ及び地盤Ｅに対応する部分においても防湿シート７の上に重ねて敷設される。上記ピット５Ｐを超える部分においては、防蟻シート１８は地盤Ｅ及び傾斜部Ｅａと土間コンクリート５との間に挟み込まれ、防蟻シート１８の周縁部はテープ部材１１により防湿シート７に固定される（図９参照）。
【００５９】
上記ピット５Ｐに位置する外周基礎１の内側面１ａと横配管部２０Ｘの外周面２０ａとの交差部Ｃ’（言い換えると横配管部２０Ｘが貫通する外周基礎１の内方の開口部）に防蟻ペースト１９が塗布される。
【００６０】
上記ピット５Ｐに位置する外周基礎１の内側面１ａと防湿シート７の周縁部７ａ及び防蟻シート１８の周縁部１８ａとの当接部Ｌに防蟻ペースト２９が塗布される。
【００６１】
上記ピット５Ｐに位置するピット５Ｐの側壁と防蟻シート１８との境界部に防蟻ペースト４９が塗布される（図１１参照）。なお、この境界部の防蟻ペースト４９は省略することができる。
【００６２】
外周基礎１を貫通する横配管部２０Ｘの外周面２０ａと外周基礎１との間の隙間にモルタル１５が充填される。横配管部２０Ｘが貫通する外周基礎１の外方の開口部にシーリング剤１６が塗布される。なお、シーリング剤に代えて、外周基礎１の内方の開口部（言い換えると上記交差部Ｃ’）と同様、防蟻ペーストを塗布してもよい。
【００６３】
（２）施工方法
次に、図９〜図１１を参照して第２実施形態に係る建築物の基礎構造Ｋの施工方法を説明する。
【００６４】
図９は、外周基礎１及びフーチング２を地盤Ｅに打設した状態を示す。第２配管２０の横配管部２０Ｘが外周基礎１を内外方向に貫通している。例えば、紙製のパイプ部材（図示せず）を水平に設置して外周基礎１を打設する。パイプ部材を除去した後、形成された貫通孔に横配管部２０Ｘを通し、横配管部２０Ｘの外周面２０ａと外周基礎１との間の隙間にモルタル１５を充填する。
【００６５】
地盤Ｅ、傾斜部Ｅａ、及び内側フーチング２ａの上面に亘って防湿シート７を敷設する。その際、防湿シート７の周縁部７ａを外周基礎１の内側面１ａに沿って所定の長さだけ立ち上げる。
【００６６】
横配管部２０Ｘが外周基礎１を貫通する部分に対応して、所定の大きさの矩形状の防蟻シート１８を防湿シート７の上に重ねて敷設する。その際、防湿シート７と同様、防蟻シート１８の周縁部１８ａを外周基礎１の内側面１ａに沿って所定の長さだけ立ち上げる。
【００６７】
外周基礎１の内側面１ａに沿って立ち上げた上記周縁部１８ａ以外の防蟻シート１８の他の周縁部をテープ部材１１で防湿シート７に固定する。
【００６８】
横配管部２０Ｘが外周基礎１を貫通する部分の周囲において、外周基礎１の内側面１ａと上記テープ部材１１とで囲まれる範囲よりも小さい範囲を型枠（図示せず）で囲い、その状態で、土間コンクリート５を形成するための生コンクリートを流し込み、養生させる。
【００６９】
型枠を除去することにより、図１０に示すように、横配管部２０Ｘが外周基礎１を貫通する部分に対応して、土間コンクリート５の周縁部にピット５Ｐが形成される。
【００７０】
図１１に示すように、外周基礎１の内側面１ａと土間コンクリート５の上面５ａとの交差部Ｃに防蟻ペースト９を塗布する。同様に、ピット５Ｐに位置する外周基礎１の内側面１ａと横配管部２０Ｘの外周面２０ａとの交差部Ｃ’に防蟻ペースト１９を塗布する。その際、横配管部２０Ｘの外周面２０ａと外周基礎１との間に生じる隙間を充填するように防蟻ペースト１９を塗布する。同様に、ピット５Ｐに位置する外周基礎１の内側面１ａと防湿シート７の周縁部７ａ及び防蟻シート１８の周縁部１８ａとの当接部Ｌに防蟻ペースト２９を塗布する。その際、外周基礎１の内側面１ａと防湿シート７の周縁部７ａ及び防蟻シート１８の周縁部１８ａとの当接部Ｌに生じる隙間を充填するように防蟻ペースト２９を塗布する。また、同様に、ピット５Ｐに位置するピット５Ｐの側壁と防蟻シート１８との境界部に防蟻ペースト４９を塗布する。その際、ピット５Ｐの側壁と防蟻シート１８の上面との間に生じる隙間を充填するように防蟻ペースト４９を塗布する。
【００７１】
以上により本実施形態に係る建築物の基礎構造Ｋが施工される。施工された基礎構造Ｋにおいては、土中に住むシロアリの建築物Ｔへの侵入経路となり得る外周基礎１と土間コンクリート５との当接部Ｂに生じる隙間が防蟻ペースト９で覆われ、ピット５Ｐ形成による防湿シート７の露出部分が防蟻シート１８で覆われ、横配管部２０Ｘの外周面２０ａと外周基礎１との間に生じる隙間が防蟻ペースト１９で覆われ、外周基礎１の内側面１ａと防湿シート７の周縁部７ａ及び防蟻シート１８の周縁部１８ａとの当接部Ｌに生じる隙間が防蟻ペースト２９で覆われ、ピット５Ｐの側壁と防蟻シート１８の上面との間に生じる隙間が防蟻ペースト４９で覆われる。
【００７２】
（３）作用効果等
以上説明したように、上記第２実施形態では、上記基礎構造Ｋは、上記外周基礎１を内外方向に貫通する横配管部２０Ｘと、上記横配管部２０Ｘの上記外周基礎１より内方側の部分２０ｂが露出するように上記土間コンクリート５の周縁部に設けられるピット５Ｐと、上記防湿シート７のうち少なくとも上記ピット５Ｐにより露出する部分の上に重ねて敷設される防蟻シート１８とをさらに備える。
【００７３】
このような第２実施形態の構成によれば、例えば上下水道等の第２配管２０が外周基礎１を内外方向に貫通する場合に形成されるピット５Ｐにより生じる防湿シート７の露出部分が防蟻シート１８で覆われるので、上記露出部分を介してシロアリが土中から上方に這い上がることが抑制される。しかも、その際、防蟻シート１８は防湿シート７の露出部分のみという必要最小限の範囲で敷設されるから、コストアップも抑えられる。
【００７４】
また、本実施形態では、上記基礎構造Ｋは、上記ピット５Ｐに位置する外周基礎１の内側面１ａと上記横配管部２０Ｘの外周面２０ａとの交差部Ｃ’に塗布される防蟻ペースト１９をさらに備える。
【００７５】
このような構成によれば、横配管部２０Ｘの外周面２０ａと外周基礎１との間に生じる隙間が防蟻ペースト１９で覆われるので、上記隙間を通ってシロアリが外周基礎１の外方から内方に（つまり床下部分Ｕに）侵入することが抑制される。しかも、その際、防蟻ペースト１９は外周基礎１の内側面１ａと横配管部２０Ｘの外周面２０ａとの交差部Ｃ’のみという必要最小限の範囲で塗布されるから、コストアップも抑えられる。
【００７６】
また、本実施形態では、上記基礎構造Ｋは、上記ピット５Ｐに位置する外周基礎１の内側面１ａと上記防湿シート７及び防蟻シート１８の周縁部７ａ，１８ａとの当接部Ｌに塗布される防蟻ペースト２９をさらに備える。
【００７７】
このような構成によれば、ピット５Ｐにおいて、外周基礎１の内側面１ａと防湿シート７の周縁部７ａ及び防蟻シート１８の周縁部１８ａとの当接部Ｌに生じる隙間が防蟻ペースト２９で覆われるので、上記隙間を通ってシロアリが土中から上方に這い上がることが抑制される。しかも、その際、防蟻ペースト２９はピット５Ｐの範囲のみという必要最小限の範囲で塗布されるから、コストアップも抑えられる。
【００７８】
また、本実施形態では、上記基礎構造Ｋは、上記ピット５Ｐに位置するピット５Ｐの側壁と防蟻シート１８との境界部に塗布される防蟻ペースト４９をさらに備える。
【００７９】
このような構成によれば、ピット５Ｐにおいて、ピット５Ｐの側壁と防蟻シート１８の上面との間に生じる隙間が防蟻ペースト４９で覆われるので、上記隙間を通ってシロアリが土中から上方に這い上がることが抑制される。しかも、その際、防蟻ペースト４９はピット５Ｐの範囲のみという必要最小限の範囲で塗布されるから、コストアップも抑えられる。
【００８０】
また、本実施形態では、上記土間コンクリート５は、配筋１７が埋め込まれた補強土間コンクリートである。
【００８１】
このような構成によれば、土間コンクリート５にクラックが入ることが防止され、したがってシロアリが土間コンクリート５のクラックを通って土間コンクリート５の上に出る虞もないため、防蟻上より優れた結果が得られる。
【００８２】
なお、この第２の実施形態では、防湿シート７の周縁部７ａ及び防蟻シート１８の周縁部１８ａを外周基礎１の内側面１ａに沿って所定の長さだけ立ち上げたが、必ずしも立ち上げなくても構わない。その場合、防湿シート７の周縁部７ａ及び防蟻シート１８の周縁部１８ａが立ち上がることなく外周基礎１の内側面１ａに当接し、その当接部に生じる隙間を充填するように上記当接部に防蟻ペースト２９が塗布される。これにより、ピット５Ｐにおいて、コストアップを抑えつつ、上記隙間を通ってシロアリが土中から上方に這い上がることが抑制される。
【００８３】
また、上記各実施形態では、防蟻薬剤を含有しないシート部材として防湿シート７を用いたから、防湿シート７による床下部分Ｕの湿気低減作用が奏されることはいうまでもない。その結果、床下部分Ｕの結露やカビの発生、木質部分の傷みの進行等が抑えられる。もっとも、防湿シート７に代えて、例えば除草シートや防草シート等、他の防蟻薬剤を含有しないシート部材を用いても一向構わない。
【００８４】
上記各実施形態で記述された種々の数値や材質や形状等はあくまでも例示であり、それらに限定されないことはいうまでもない。
【符号の説明】
【００８５】
１        外周基礎
１ａ      内側面
５        土間コンクリート
５ａ      上面
５Ｐ      ピット（切り欠き部）
７        防湿シート（防蟻薬剤を含有しないシート部材）
７ａ      周縁部
８，１８  防蟻シート
９，９’，１９，２９，３９，４９  防蟻ペースト（防蟻剤）
１０      配管
１０ａ    外周面
１０Ｙ    縦配管部
１８ａ    周縁部
２０      第２配管
２０ａ    外周面
２０ｂ    内方側部分
２０Ｘ    横配管部
Ｃ，Ｃ’  交差部
Ｅ        地盤
Ｋ        基礎構造
Ｌ        当接部
Ｔ        建築物（家屋）
Ｕ        床下部分
【図１】
0006587805.tif 000002
【図２】
0006587805.tif 000003
【図３】
0006587805.tif 000004
【図４】
0006587805.tif 000005
【図５】
0006587805.tif 000006
【図６】
0006587805.tif 000007
【図７】
0006587805.tif 000008
【図８】
0006587805.tif 000009
【図９】
0006587805.tif 000010
【図１０】
0006587805.tif 000011
【図１１】
0006587805.tif 000012